(57)【要約】      （修正有）【課題】情報処理装置に他のプログラムを追加で導入することなく、情報処理装置を自動で操作できる装置を提供する。【解決手段】情報処理装置２０のディスプレイ接続端子２１に接続される入力端子１１と、情報処理装置の入力機器接続端子２２に接続される出力端子１２と、ディスプレイ接続端子から出力される画像データを入力端子を介して取得する画像データ取得部１３ａと、画像データから画像認識処理によりパラメータの値を抽出する画像認識部１３ｂと、抽出されたパラメータの値を入力として、予め定められた決定アルゴリズムに基づいて、変更先のパラメータの値を決定する演算部１３ｃと、パラメータの値を変更先のパラメータの値へと変更するための一連の入力を入力機器が受け付けた際に入力機器から出力される一連の信号と同じ信号を疑似的に生成し、出力端子を介して入力機器接続端子へと入力する信号出力部１３ｄと、を備える。【選択図】図２
2020194516.tif 000002
【特許請求の範囲】
【請求項１】
オペレータにパラメータの値を表示するためのディスプレイに接続可能なディスプレイ接続端子と、前記パラメータの値を変更するためのオペレータからの入力を受け付ける入力機器に接続可能な入力機器接続端子と、を有する情報処理装置を自動で操作する装置であって、
前記ディスプレイ接続端子または前記ディスプレイを撮影するカメラの映像出力端子に接続される入力端子と、
前記入力機器接続端子に接続される出力端子と、
前記ディスプレイ接続端子または前記映像出力端子から出力される画像データを前記入力端子を介して取得する画像データ取得部と、
前記画像データから画像認識処理により前記パラメータの値を抽出する画像認識部と、
前記画像認識部により抽出された前記パラメータの値を入力として、予め定められた決定アルゴリズムに基づいて、変更先のパラメータの値を決定する演算部から、前記変更先のパラメータの値を取得し、前記パラメータの値を前記変更先のパラメータの値へと変更するための一連の入力を前記入力機器が受け付けた際に前記入力機器から出力される一連の信号と同じ信号を疑似的に生成し、前記出力端子を介して前記入力機器接続端子へと入力する信号出力部と、
を備えたことを特徴とする装置。
【請求項２】
前記画像認識部により抽出された前記パラメータの値と、前記演算部から取得された前記変更先のパラメータの値とを記憶する記憶部
をさらに備えたことを特徴とする請求項１に記載の装置。
【請求項３】
前記画像認識処理は、ＯＭＲ（Ｏｐｔｉｃａｌ  Ｍａｒｋ  Ｒｅｃｏｇｎｉｔｉｏｎ／Ｒｅａｄｅｒ）、ＯＣＲ（Ｏｐｔｉｃａｌ  Ｃｈａｒａｃｔｅｒ  Ｒｅｃｏｇｎｉｔｉｏｎ／Ｒｅａｄｅｒ）、ボルツマンマシン、ニューラルネットワーク、サポートベクターマシン、ベイジアンネットワーク、決定木、ランダムフォレストを用いた統計的推定、強化学習、深層学習のいずれか１つ以上を含む、
ことを特徴とする請求項１または２に記載の装置。
【請求項４】
前記入力機器は、マウス、キーボード、テンキー、タッチパッド、マイク、ヘッドセット、トラック・ボール、ジョイ・スティック、タッチパネル、デジタイザ、ペンタブレット、タブレットのいずれか１つ以上を含む、
ことを特徴とする請求項１〜３のいずれかに記載の装置。
【請求項５】
前記情報処理装置は、燃焼設備のある施設、不燃粗大ごみ施設、可燃粗大ごみ施設、リサイクル施設、排水ポンプ機場施設、火力発電プラント施設、水処理プラント施設、化学プラント施設、吸収冷温水機と吸収冷凍機とターボ冷凍機とスクリュー冷凍機のいずれか１つ以上のある施設、それらの施設を遠隔監視する施設のいずれかに設置されている、
ことを特徴とする請求項１〜４のいずれかに記載の装置。
【請求項６】
前記燃焼設備のある施設は、前記情報処理装置として、前記燃焼設備の制御を行う制御装置、ごみピットから焼却炉へごみを搬送するごみクレーンの制御を行う制御装置、灰ピットから外部へ焼却灰を搬出する灰クレーンの制御を行う制御装置のいずれか１つ以上を有する、
ことを特徴とする請求項５に記載の装置。
【請求項７】
前記パラメータは、発電量、送電量、機器冷却水温度、バーナの燃料量、圧縮空気圧力と流量、供給水のｐＨ値、各薬剤ｐＨ値、被燃焼物の重量、体積、密度、供給量、前記焼
却設備の内部温度、出口温度、内部圧力、供給空気量、供給水量、供給薬剤量、発生熱量、前記焼却設備より排出される排ガスの流量、流速、密度、温度、該排ガスに含まれる一酸化炭素濃度、二酸化炭素濃度、窒素酸化物濃度、硫黄酸化物濃度、塩化水素濃度、水分濃度、水銀濃度、ばいじん濃度、酸素濃度、窒素濃度、該排ガスを冷却するボイラ設備の蒸気流量、蒸気圧力、蒸気温度、給水流量、保有水量、該排ガスに供給される薬剤量、燃料貯留設備における、被燃焼物の高さ、水分量、ごみ質、破袋度、ごみ種、燃料供給設備の空間座標、油圧値、操作記録、燃料供給設備制御のいずれか１つ以上を含む、
ことを特徴とする請求項５に記載の装置。
【請求項８】
ＩＴＶカメラ、赤外線カメラ、紫外線カメラ、Ｘ線カメラ、放射線カメラ、ＲＧＢ−Ｄカメラ、ステレオカメラ、３Ｄカメラのいずれか１つ以上に接続される第２入力端子を備え、
前記演算部は、前記画像認識部により抽出された前記パラメータの値と、前記第２入力端子を介して取得されるカメラ映像データとを入力として、予め定められた決定アルゴリズムに基づいて、変更先のパラメータの値を決定する
ことを特徴とする請求項１〜７のいずれかに記載の装置。
【請求項９】
前記演算部をさらに備えた
ことを特徴とする請求項１〜８のいずれかに記載の装置。
【発明の詳細な説明】
【技術分野】
【０００１】
本発明は、情報処理装置を自動で操作する装置に関する。
【背景技術】
【０００２】
従来、廃棄物焼却プラントなどの燃焼設備を備えた施設において、安定した施設運営のために、施設内には様々な計器が設置されている。これらの計器が示す値や警報などの信号は、施設の中央制御操作室にある分散制御システム（Ｄｉｓｔｒｉｂｕｔｅｄ  Ｃｏｎｔｒｏｌ  Ｓｙｓｔｅｍ；ＤＣＳ）へと送られる。分散制御システムには、施設内の情報が集められ、中央制御操作室内から遠隔で燃焼設備を制御できる機能がある。また、施設の運転員が管理しやすいように、分散制御システムには、ユーザーインターフェースが接続され、集められた情報をディスプレイに出力させていることが多い。運転員は分散制御システムが位置する中央制御操作室内で、ディスプレイに表示されているパラメータを監視しながら、必要に応じて適切な変更先のパラメータをキーボードなどの入力機器に入力したり、現場に赴いて設備の修繕を行ったりすることで、継続的な施設の運営を図っている。
【０００３】
このような従来の分散制御システムでは、運転員による常時監視が機能していることが前提であり、運転員の見落とし等により施設運営に影響が出る可能性がある。この問題を解決するために、たとえば、自動燃焼制御（Ａｕｔｏｍａｔｉｃ  Ｃｏｍｂｕｓｔｉｏｎ
Ｃｏｎｔｒｏｌ；ＡＣＣ）といった、施設内の状況に応じて適切なパラメータを自動的に調整する機能を持った制御方法が提案されている（たとえば、特許文献１参照）。このような自動制御方法を分散制御システムに取り入れることにより、運転員が手動でパラメータを変更して制御を行う回数が削減されるので、運転員の負担を軽減しながらも、属人的な要因の誤作動が減ることにより、安定した施設運営が可能となる。現在、このような自動制御方法を分散制御システムに取り入れるためには、自動制御方法を実行させるためのプログラム（アプリケーションともいう）の一部または全部を、分散制御システムを構成している情報処理装置に導入（インストール）する必要がある（たとえば、非特許文献１参照）。
【先行技術文献】
【特許文献】
【０００４】
【特許文献１】特開平１１−２９４７４１号公報
【非特許文献】
【０００５】
【非特許文献１】“Ｋｏｆａｘ  Ｋａｐｏｗ”，［ｏｎｌｉｎｅ］，２０１８年７月３日，Ｋｏｆａｘ  Ｉｎｃ．，［２０１９年４月１８日検索］，インターネット＜ＵＲＬ：ｈｔｔｐｓ：／／ｗｗｗ．ｋｏｆａｘ．ｊｐ／−／ｍｅｄｉａ／Ｆｉｌｅｓ／Ｄａｔａｓｈｅｅｔｓ／ＪＰ／ｐｓ＿ｋｏｆａｘ−ｋａｐｏｗ＿ｊｐ．ｐｄｆ＞
【発明の概要】
【発明が解決しようとする課題】
【０００６】
しかしながら、既に建設されて運営されている施設において、分散制御システムの仕様、容量、スペック等は施設ごとに異なっており、分散制御システムを構成している情報処理装置に他のプログラムを導入することには、様々な問題点が存在する。すなわち、ＣＰＵの性能やメモリの容量が不足していたり、オペレーティングシステム（ＯＳ）が古かったりして、他のプログラムを導入できなかったり、導入しても正常に動作しなかったりする可能性がある。また、専用のプログラマブル・ロジック・コントローラ（ＰＬＣ）の集
合体から構成された情報処理装置の場合には、その構成上、他のプログラムを追加で導入できないという問題点もある。これらの問題点が解決されない場合、分散制御システムを大きく改造・更新する必要があり、多くの時間と費用を要する。さらに、廃棄物焼却プラントなどのインフラの心臓部である分散制御システムでは、他のプログラムを新たに導入したくないという事情もある。
【０００７】
本発明は、以上のような点を考慮してなされたものである。本発明の目的は、情報処理装置に他のプログラムを追加で導入することなく、情報処理装置を自動で操作できる装置を提供することにある。
【課題を解決するための手段】
【０００８】
本発明の第１の態様に係る装置は、
オペレータにパラメータの値を表示するためのディスプレイに接続可能なディスプレイ接続端子と、前記パラメータの値を変更するためのオペレータからの入力を受け付ける入力機器に接続可能な入力機器接続端子と、を有する情報処理装置を自動で操作する装置であって、
前記ディスプレイ接続端子または前記ディスプレイを撮影するカメラの映像出力端子に接続される入力端子と、
前記入力機器接続端子に接続される出力端子と、
前記ディスプレイ接続端子または前記映像出力端子から出力される画像データを前記入力端子を介して取得する画像データ取得部と、
前記画像データから画像認識処理により前記パラメータの値を抽出する画像認識部と、
前記画像認識部により抽出された前記パラメータの値を入力として、予め定められた決定アルゴリズムに基づいて、変更先のパラメータの値を決定する演算部から前記変更先のパラメータの値を取得し、前記パラメータの値を前記変更先のパラメータの値へと変更するための一連の入力を前記入力機器が受け付けた際に前記入力機器から出力される一連の信号と同じ信号を疑似的に生成し、前記出力端子を介して前記入力機器接続端子へと入力する信号出力部と、
を備える。
【０００９】
このような態様によれば、情報処理装置に他のプログラムを追加で導入しなくても、情報処理装置の外部に本件装置を設置し、本件装置の入力端子を情報処理装置のディスプレイ接続端子またはディスプレイを撮影するカメラの映像出力端子に接続するとともに、本件装置の出力端子を情報処理装置の入力機器接続端子に接続すれば、本件装置は、情報処理装置のディスプレイ接続端子または映像出力端子から出力される画像データから画像認識処理によりパラメータの値を抽出し、決定アルゴリズムに基づいて変更先のパラメータの値を決定し、パラメータの値を変更先のパラメータの値へと変更するための一連の入力を入力機器が受け付けた際に入力機器から出力される一連の信号と同じ信号を入力機器接続端子へと入力することで、パラメータの値を自動的に変更することができる。したがって、情報処理装置の外部に、情報処理装置を自動で操作する装置（本件装置）が構成されるため、情報処理装置に他のプログラムを追加で導入することなく、情報処理装置を自動で操作することが可能となる。
【００１０】
本発明の第２の態様に係る装置は、第１の態様に係る装置であって、
前記画像認識部により抽出された前記パラメータの値と、前記演算部から取得された前記変更先のパラメータの値とを記憶する記憶部をさらに備える。
【００１１】
本発明の第３の態様に係る装置は、第１または２の態様に係る装置であって、
前記画像認識処理は、ＯＭＲ（Ｏｐｔｉｃａｌ  Ｍａｒｋ  Ｒｅｃｏｇｎｉｔｉｏｎ／Ｒｅａｄｅｒ）、ＯＣＲ（Ｏｐｔｉｃａｌ  Ｃｈａｒａｃｔｅｒ  Ｒｅｃｏｇｎｉｔｉｏ
ｎ／Ｒｅａｄｅｒ）、ボルツマンマシン、ニューラルネットワーク、サポートベクターマシン、ベイジアンネットワーク、決定木、ランダムフォレストを用いた統計的推定、強化学習、深層学習のいずれか１つ以上を含む。
【００１２】
本発明の第４の態様に係る装置は、第１〜３のいずれかの態様に係る装置であって、
前記入力機器は、マウス、キーボード、テンキー、タッチパッド、マイク、ヘッドセット、トラック・ボール、ジョイ・スティック、タッチパネル 、デジタイザ、ペンタブレ
ット、タブレットのいずれか１つ以上を含む。
【００１３】
本発明の第５の態様に係る装置は、第１〜４のいずれかの態様に係る装置であって、
前記情報処理装置は、燃焼設備のある施設、不燃粗大ごみ施設、可燃粗大ごみ施設、リサイクル施設、排水ポンプ機場施設、火力発電プラント施設、水処理プラント施設、化学プラント施設、吸収冷温水機と吸収冷凍機とターボ冷凍機とスクリュー冷凍機のいずれか１つ以上のある施設、それらの施設を遠隔監視する施設のいずれかに設置されている。
【００１４】
本発明の第６の態様に係る装置は、第５の態様に係る装置であって、
前記燃焼設備のある施設は、前記情報処理装置として、前記燃焼設備の制御を行う制御装置、ごみピットから焼却炉へごみを搬送するごみクレーンの制御を行う制御装置、灰ピットから外部へ焼却灰を搬出する灰クレーンの制御を行う制御装置のいずれか１つ以上を有する。
【００１５】
本発明の第７の態様に係る装置は、第５の態様に係る装置であって、
前記パラメータは、発電量、送電量、機器冷却水温度、バーナの燃料量、圧縮空気圧力と流量、供給水のｐＨ値、各薬剤ｐＨ値、被燃焼物の重量、体積、密度、供給量、前記焼却設備の内部温度、出口温度、内部圧力、供給空気量、供給水量、供給薬剤量、発生熱量、前記焼却設備より排出される排ガスの流量、流速、密度、温度、該排ガスに含まれる一酸化炭素濃度、二酸化炭素濃度、窒素酸化物濃度、硫黄酸化物濃度、塩化水素濃度、水分濃度、水銀濃度、ばいじん濃度、酸素濃度、窒素濃度、該排ガスを冷却するボイラ設備の蒸気流量、蒸気圧力、蒸気温度、給水流量、保有水量、該排ガスに供給される薬剤量、燃料貯留設備における、被燃焼物の高さ、水分量、ごみ質、破袋度、ごみ種、燃料供給設備の空間座標、油圧値、操作記録、燃料供給設備制御のいずれか１つ以上を含む。
【００１６】
本発明の第８の態様に係る装置は、第１〜７のいずれかの態様に係る装置であって、
ＩＴＶカメラ、赤外線カメラ、紫外線カメラ、Ｘ線カメラ、放射線カメラ、ＲＧＢ−Ｄカメラ、ステレオカメラ、３Ｄカメラのいずれか１つ以上に接続される第２入力端子を備え、
前記演算部は、前記画像認識部により抽出された前記パラメータの値と、前記第２入力端子を介して取得されるカメラ映像データとを入力として、予め定められた決定アルゴリズムに基づいて、変更先のパラメータの値を決定する。
【００１７】
本発明の第９の態様に係る装置は、第１〜８のいずれかの態様に係る装置であって、
前記演算部をさらに備える。
【発明の効果】
【００１８】
本発明によれば、情報処理装置に他のプログラムを追加で導入することなく、情報処理装置を自動で操作できる装置を提供できる。
【図面の簡単な説明】
【００１９】
【図１】図１は、一実施の形態に係る廃棄物焼却プラントの構成を示す概略図である。
【図２】図２は、第１の実施形態に係る情報処理装置を自動で操作する装置と燃焼制御装置との接続構成を示すブロック図である。
【図３】図３は、第１の実施形態の一変形例に係る情報処理装置を自動で操作する装置と燃焼制御装置との接続構成を示すブロック図である。
【図４】図４は、ディスプレイ接続端子から出力される画像データの一例を示す図である。
【図５】図５は、第１の実施形態に係る情報処理装置を自動で操作する装置の動作の一例を示すフローチャートである。
【図６】図６は、第２の実施形態に係る情報処理装置を自動で操作する装置と燃焼制御装置との接続構成を示すブロック図である。
【発明を実施するための形態】
【００２０】
以下に、添付の図面を参照して、本発明の実施の形態を詳細に説明する。なお、以下の説明および以下の説明で用いる図面では、同一に構成され得る部分について、同一の符号を用いるとともに、重複する説明を省略する。
【００２１】
図１は、一実施の形態に係る廃棄物焼却プラント１００の構成を示す概略図である。
【００２２】
図１に示すように、廃棄物焼却プラント１００は、燃焼設備のある施設であって、廃棄物を積載する搬送車両（ごみ収集車）３２が停車するプラットホーム３１と、プラットホーム３１から投入される廃棄物が貯留されるごみピット３と、ごみピット３内に貯留される廃棄物を攪拌および搬送するクレーン５と、クレーン５により搬送される廃棄物が投入されるホッパ４と、ホッパ４から投入された廃棄物を焼却する焼却炉１と、焼却炉１内で生じる排ガスから排熱を回収する排熱ボイラ２と、を備えている。焼却炉１の種類は、図１に示すようなストーカ炉に限られるものではなく、流動炉（流動床炉ともいう）も含まれる。また、ごみピット３の構造は、図１に示すような１段ピットに限られるものではなく、２段ピットも含まれる。
【００２３】
搬送車両３２に積載された状態で搬入される廃棄物は、プラットホーム３１からごみピット３内へと投入され、ごみピット３内にて貯留される。ごみピット３内に貯留される廃棄物は、クレーン５によって攪拌されるとともに、クレーン５によってホッパ４へと搬送され、ホッパ４を介して焼却炉１内部へと投入され、焼却炉１内部にて焼却されて処理される。
【００２４】
図１に示すように、廃棄物焼却プラント１００には、焼却炉１内での廃棄物の燃焼を制御する燃焼制御装置２０と、情報処理装置を自動で操作する装置１０（以下、本件装置ということがある）とが設けられている。燃焼制御装置２０と本件装置１０は、中央制御操作室７内に配置されている。
【００２５】
図２は、本件装置１０と燃焼制御装置２０との接続構成を示すブロック図である。
【００２６】
図２に示すように、燃焼制御装置２０は、施設の運転員（以下、オペレータともいう）にパラメータの値を表示するためのディスプレイ２４に接続可能なディスプレイ接続端子２１と、パラメータの値を変更するためのオペレータからの入力を受け付ける入力機器（不図示）に接続可能な入力機器接続端子２２と、を有している。燃焼制御装置２０は、廃棄物焼却プラント１００の分散制御システム（ＤＣＳ）を構成している１つまたは複数のコンピュータ（情報処理装置）によって構成され得る。本明細書において、コンピュータ（情報処理装置）には、プログラマブル・ロジック・コントローラ（ＰＬＣ）が含まれる。
【００２７】
ディスプレイ接続端子２１は、たとえばＶＧＡ端子、ＤＶＩ端子、ＨＤＭＩ（登録商標）端子、コンポジット端子（ＲＣＡ端子）、Ｓ端子、ＵＳＢ端子などである。図２に示す例では、ディスプレイ接続端子２１には、分配器２３を介してディスプレイ２４が接続されている。
【００２８】
入力機器は、たとえばマウス、キーボード、テンキー、タッチパッド、マイク、ヘッドセット、トラック・ボール、ジョイ・スティック、タッチパネル 、デジタイザ、ペンタ
ブレット、タブレットのいずれか１つ以上を含んでいる。入力機器接続端子２２は、たとえばＵＳＢ端子、ＰＳ／２端子、フォーン端子などである。
【００２９】
図２に示すように、情報処理装置を自動で操作する装置（本件装置）１０は、入力端子１１と、出力端子１２と、制御部１３と、記憶部１４とを有している。本件装置１０は、１つまたは複数のコンピュータによって構成され得る。
【００３０】
入力端子１１は、たとえばＶＧＡ端子、ＤＶＩ端子、ＨＤＭＩ（登録商標）端子、コンポジット端子（ＲＣＡ端子）、Ｓ端子、ＵＳＢ端子などであり、燃焼制御装置２０のディスプレイ接続端子２１に有線で接続されている。図２に示す例では、入力端子１１は、燃焼制御装置２０のディスプレイ接続端子２１に分配器２３を介して接続されているが、これに限定されるものではなく、燃焼制御装置２０のディスプレイ接続端子２１に分配器２３を介さずに直接接続されていてもよい。入力端子１１は、燃焼制御装置２０のディスプレイ接続端子２１に無線で接続されていてもよい。
【００３１】
出力端子１２は、たとえばＵＳＢ端子、ＰＳ／２端子、フォーン端子などであり、燃焼制御装置２０の入力機器接続端子２２に有線で接続されている。出力端子１２は、燃焼制御装置２０の入力機器接続端子２２に無線で接続されていてもよい。
【００３２】
記憶部１４は、たとえばハードディスク等の固定型データストレージである。記憶部１４には、制御部１３が取り扱う各種データが記憶される。また、記憶部１４には、後述する画像認識部１３ｂにより抽出されたパラメータ５２（変更前のパラメータ）の値と、演算部１３ｃにより決定された変更先のパラメータの値とが互いに紐づけて記憶されてもよい。
【００３３】
制御部１３は、本件装置１０の各種処理を行う制御手段である。図２に示すように、制御部１３は、画像データ取得部１３ａと、画像認識部１３ｂと、演算部１３ｃと、信号出力部１３ｄとを有している。これらの各部１３ａ〜１３ｄは、本件装置１０内のプロセッサが所定のプログラムを実行することにより実現されてもよいし、ハードウェアで実装されてもよい。
【００３４】
画像データ取得部１３ａは、燃焼制御装置２０のディスプレイ接続端子２１から出力される画像データを、入力端子１１を介して取得する。
【００３５】
図４は、ディスプレイ接続端子２１から出力される画像データ５０の一例を示す図である。図４に示すように、画像データ５０は、複数のパラメータ５２と、各パラメータ５２に付されたタグ５１とを含んでいる。このうちパラメータ５２は、廃棄物焼却プラント１００内に設置された各種の計器（不図示）が示す値であり、タグ５１は、当該計器を識別するための識別情報（ＩＤ）である。図４に示す例では、「ＰＤＸＸＸＸ」という識別情報（タグ５１）により識別される計器が「０．９８」という値（パラメータ５２）を示していることが表示されている。図４に示すように、画像データ５０は、アラート（警報）５３を含んでいてもよい。
【００３６】
パラメータ５２は、たとえば、発電量、送電量、機器冷却水温度、バーナの燃料量、圧縮空気圧力と流量、供給水のｐＨ値、各薬剤ｐＨ値、被燃焼物の重量、体積、密度、供給量、前記焼却設備の内部温度、出口温度、内部圧力、供給空気量、供給水量、供給薬剤量、発生熱量、前記焼却設備より排出される排ガスの流量、流速、密度、温度、該排ガスに含まれる一酸化炭素濃度、二酸化炭素濃度、窒素酸化物濃度、硫黄酸化物濃度、塩化水素濃度、水分濃度、水銀濃度、ばいじん濃度、酸素濃度、窒素濃度、該排ガスを冷却するボイラ設備の蒸気流量、蒸気圧力、蒸気温度、給水流量、保有水量、該排ガスに供給される薬剤量、燃料貯留設備における、被燃焼物の高さ、水分量、ごみ質、破袋度、ごみ種、燃料供給設備の空間座標、油圧値、操作記録、燃料供給設備制御のいずれか１つ以上を含んでいてもよい。
【００３７】
画像認識部１３ｂは、画像データ５０から画像認識処理によりパラメータ５２の値を抽出する。画像認識処理としては、たとえば、ＯＭＲ（Ｏｐｔｉｃａｌ  Ｍａｒｋ  Ｒｅｃｏｇｎｉｔｉｏｎ／Ｒｅａｄｅｒ）、ＯＣＲ（Ｏｐｔｉｃａｌ  Ｃｈａｒａｃｔｅｒ  Ｒｅｃｏｇｎｉｔｉｏｎ／Ｒｅａｄｅｒ）、ボルツマンマシン、ニューラルネットワーク、サポートベクターマシン、ベイジアンネットワーク、決定木、ランダムフォレストを用いた統計的推定、強化学習、深層学習のいずれか１つ以上を用いることができる。
【００３８】
具体的には、たとえば、画像認識部１３ｂは、画像データ５０から画像認識処理（たとえばパターンマッチング）により「ＰＤＸＸＸＸ」という識別情報（タグ５１）の位置を認識し、その識別情報（タグ５１）の真下の領域に対して画像認識処理（たとえばＯＣＲ）を行って「０．９８」というパラメータ５２の値を抽出する。
【００３９】
画像認識部１３ｂにより抽出されたパラメータ５２の値は、記憶部１４に記憶されてもよい。
【００４０】
演算部１３ｃは、画像認識部１３ｂにより抽出されたパラメータ５２の値を入力として、予め定められた決定アルゴリズムに基づいて、変更先のパラメータの値を決定する。決定アルゴリズムとしては、たとえば、特開平１１−２９４７４１号公報で提案されているような、それ自体は公知の自動燃焼制御（ＡＣＣ）アルゴリズムが用いられてもよい。具体的には、たとえば、演算部１３ｃは、「０．９８」というパラメータ５２の値を入力として、予め定められた決定アルゴリズム（たとえば所定の計算式）に基づいて、変更先のパラメータの値を「１．００」であると決定する。
【００４１】
一変形例として、図３に示すように、本件装置１０は、監視カメラ８に接続される第２入力端子１５をさらに備えており、演算部１３ｃは、画像認識部１３ｂにより抽出されたパラメータ５２の値と、監視カメラ８から第２入力端子１５を介して取得されるカメラ映像データとを入力として、予め定められた決定アルゴリズムに基づいて、変更先のパラメータの値を決定してもよい。監視カメラ８は、赤外線カメラ、紫外線カメラ、Ｘ線カメラ、放射線カメラ、ＲＧＢ−Ｄカメラ、ステレオカメラ、３Ｄカメラのいずれか１つ以上であってもよい。第２入力端子１５は、たとえばＶＧＡ端子、ＤＶＩ端子、ＨＤＭＩ（登録商標）端子、コンポジット端子（ＲＣＡ端子）、Ｓ端子、ＵＳＢ端子などであってもよい。
【００４２】
演算部１３ｃにより決定された変更先のパラメータの値は、画像認識部１３ｂにより抽出されたパラメータ５２の値とセットで記憶部１４に記憶されてもよい。
【００４３】
信号出力部１３ｄは、演算部１３ｃから変更先のパラメータの値を取得し、パラメータ５２の値を変更先のパラメータの値へと変更するための一連の入力を入力機器（不図示）が受け付けた際に入力機器から出力される一連の信号と同じ信号を疑似的に生成する。
【００４４】
具体的には、たとえば、「ＰＤＸＸＸＸ」という識別情報（タグ５１）により識別される計器が示す値を「１．００」に変更したい場合であって、オペレータであれば、キーボードから「Ｐ」「Ｄ」「Ｘ」「Ｘ」「Ｘ」「Ｘ」「１」「．」「０」「０」「（リターン）」のキーを順に押し下げる操作（入力）を行う必要がある場合に、信号出力部１３ｄは、キーボードに対して「Ｐ」「Ｄ」「Ｘ」「Ｘ」「Ｘ」「Ｘ」「１」「．」「０」「０」「（リターン）」のキーを順に押し下げる一連の操作（入力）が行われた際に当該キーボードから出力される一連の信号と同じ信号を疑似的に生成する。
【００４５】
そして、信号出力部１３ｄは、生成した信号（入力機器から出力される一連の信号と同じ信号）を、出力端子１２を介して燃焼制御装置２０の入力機器接続端子へと入力する。
【００４６】
次に、このような構成からなる情報処理装置を自動で操作する装置（本件装置）１０の動作の一例について説明する。図５は、本件装置１０の動作の一例を示すフローチャートである。
【００４７】
図５に示すように、まず、画像データ取得部１３ａが、燃焼制御装置２０のディスプレイ接続端子２１から出力される画像データ５０（図４参照）を、入力端子１１を介して取得する（ステップＳ１０）。図４に示す例では、「ＰＤＸＸＸＸ」という識別情報（タグ５１）により識別される計器が「０．９８」という値（パラメータ５２）を示していることが表示されている。
【００４８】
次に、画像認識部１３ｂが、画像データ５０（図４参照）から画像認識処理によりパラメータ５２の値を抽出する（ステップＳ１１）。具体的には、たとえば、画像認識部１３ｂは、画像データ５０から画像認識処理（たとえばパターンマッチング）により「ＰＤＸＸＸＸ」という識別情報（タグ５１）の位置を認識し、その識別情報（タグ５１）の真下の領域に対して画像認識処理（たとえばＯＣＲ）を行って「０．９８」というパラメータ５２の値を抽出する。画像認識部１３ｂにより抽出されたパラメータ５２の値は、記憶部１４に記憶されてもよい。
【００４９】
次に、演算部１３ｃは、画像認識部１３ｂにより抽出されたパラメータ５２の値を入力として、予め定められた決定アルゴリズムに基づいて、変更先のパラメータの値を決定する（ステップＳ１２）。具体的には、たとえば、演算部１３ｃは、「０．９８」というパラメータ５２の値を入力として、予め定められた決定アルゴリズム（たとえば所定の計算式）に基づいて、変更先のパラメータの値を「１．００」であると決定する。
【００５０】
次に、信号出力部１３ｄは、演算部１３ｃから変更先のパラメータの値を取得し、パラメータ５２の値を変更先のパラメータの値へと変更するための一連の入力を入力機器（不図示）が受け付けた際に入力機器から出力される一連の信号と同じ信号を疑似的に生成する（ステップＳ１３）。具体的には、たとえば、「ＰＤＸＸＸＸ」という識別情報（タグ５１）により識別される計器が示す値を「１．００」に変更したい場合であって、オペレータであれば、キーボードから「Ｐ」「Ｄ」「Ｘ」「Ｘ」「Ｘ」「Ｘ」「１」「．」「０」「０」「（リターン）」のキーを順に押し下げる操作（入力）を行う必要がある場合に、信号出力部１３ｄは、キーボードに対して「Ｐ」「Ｄ」「Ｘ」「Ｘ」「Ｘ」「Ｘ」「１」「．」「０」「０」「（リターン）」のキーを順に押し下げる一連の操作（入力）が行われた際に当該キーボードから出力される一連の信号と同じ信号を疑似的に生成する。
【００５１】
そして、信号出力部１３ｄは、生成した信号（入力機器から出力される一連の信号と同じ信号）を、出力端子１２を介して燃焼制御装置２０の入力機器接続端子へと入力する（ステップＳ１４）。
【００５２】
以上のような本実施の形態によれば、燃焼制御装置２０（情報処理装置）に、自動制御方法を実行させるための他のプログラム（アプリケーション）を追加で導入しなくても、燃焼制御装置２０の外部に本件装置１０を設置し、本件装置１０の入力端子１１を燃焼制御装置２０のディスプレイ接続端子２１に接続するとともに、本件装置１０の出力端子１２を燃焼制御装置２０の入力機器接続端子２２に接続すれば、本件装置１０は、燃焼制御装置２０のディスプレイ接続端子２１から出力される画像データ５０から画像認識処理によりパラメータ５２の値を抽出し、決定アルゴリズムに基づいて変更先のパラメータの値を決定し、パラメータ５２の値を変更先のパラメータの値へと変更するための一連の入力を入力機器が受け付けた際に入力機器から出力される一連の信号と同じ信号を入力機器接続端子２２へと入力することで、燃焼制御装置２０のパラメータ５２の値を自動的に変更することができる。したがって、燃焼制御装置２０の外部に、情報処理装置を自動で操作する装置（本件装置）１０が構成されるため、燃焼制御装置２０に他のプログラム（アプリケーション）を追加で導入することなく、燃焼制御装置２０を自動で操作することが可能となる。
【００５３】
なお、上述した実施の形態（第１の実施形態）では、情報処理装置を自動で操作する装置（本件装置）１０が、画像認識部１３ｂにより抽出されたパラメータ５２の値を入力として、予め定められた決定アルゴリズムに基づいて、変更先のパラメータの値を決定する演算部１３ｃを含んでいたが、これに限定されるものではなく、図６に示すように、本件装置１０の外部に、パラメータ５２の値を入力として、予め定められた決定アルゴリズムに基づいて、変更先のパラメータの値を決定する演算装置４０が配置されていてもよい（第２の実施形態）。本件装置１０と演算装置４０とは、通信可能に接続されている。
【００５４】
第２の実施形態では、図６を参照し、本件装置１０の画像認識部１３ｂは、画像データ取得部１３ａにより取得された画像データ５０から画像認識処理によりパラメータ５２の値を抽出したのち、抽出したパラメータ５２の値を演算装置４０へと送信する。演算装置４０は、受信したパラメータ５２の値を入力として、予め定められた決定アルゴリズムに基づいて、変更先のパラメータの値を決定し、本件装置１０へと送信する。
【００５５】
演算装置４０から本件装置１０へと送信された変更先のパラメータの値は、画像認識部１３ｂにより抽出されたパラメータ５２の値とセットで記憶部１４に記憶されてもよい。
【００５６】
本件装置１０の信号出力部１３ｄは、演算装置４０から変更先のパラメータの値を取得し、パラメータ５２の値を変更先のパラメータの値へと変更するための一連の入力を入力機器が受け付けた際に入力機器から出力される一連の信号と同じ信号を疑似的に生成する。そして、信号出力部１３ｄは、生成した信号（入力機器から出力される一連の信号と同じ信号）を、出力端子１２を介して燃焼制御装置２０の入力機器接続端子２２へと入力する。
【００５７】
以上のような第２の実施形態によっても、上述した第１の実施形態と同様の作用効果が得られる。
【００５８】
なお、上述した実施の形態では、情報処理装置を自動で操作する装置（本件装置）１０が、燃焼設備の制御を行う燃焼制御装置２０に接続されており、情報処理装置としての燃焼制御装置２０を自動で操作する態様を説明したが、これに限定されるものではなく、たとえば、図１を参照し、廃棄物焼却プラント１００の場合には、本件装置１０が、ごみピット３から焼却炉１へごみを搬送するごみクレーン５の制御を行うごみクレーン制御装置（不図示）に接続されており、情報処理装置としてのごみクレーン制御装置を自動で操作するように構成されていてもよいし、本件装置１０が、灰ピットから外部へ焼却灰を搬出
する灰クレーンの制御を行う灰クレーン制御装置（不図示）に接続されており、情報処理装置としての灰クレーン制御装置を自動で操作するように構成されていてもよい。
【００５９】
また、上述した実施の形態では、情報処理装置を自動で操作する装置（本件装置）１０の入力端子１１が、情報処理装置２０のディスプレイ接続端子２２に接続され、画像データ取得部１３ａが、当該ディスプレイ接続端子２２から出力される画像データを、入力端子１１を介して取得するように構成されていたが、これに限定されるものではなく、本件装置１０の入力端子１１が、情報処理装置２０のディスプレイ２４を撮影するカメラ（不図示）の映像出力端子に有線または無線で接続され、画像データ取得部１３ａが、当該カメラの映像出力端子から出力される画像データを、入力端子１１を介して取得するように構成されていてもよい。この場合、カメラの映像出力端子は、たとえばＶＧＡ端子、ＤＶＩ端子、ＨＤＭＩ（登録商標）端子、コンポジット端子（ＲＣＡ端子）、Ｓ端子、ＵＳＢ端子などであってもよい。
【００６０】
また、上述した実施の形態では、情報処理装置２０が、燃焼設備のある施設である廃棄物焼却プラント１００に設置されていたが、これに限定されるものではなく、不燃粗大ごみ施設、可燃粗大ごみ施設、リサイクル施設、排水ポンプ機場施設、火力発電プラント施設、水処理プラント施設、化学プラント施設、吸収冷温水機と吸収冷凍機とターボ冷凍機とスクリュー冷凍機のいずれか１つ以上のある施設、それらの施設を遠隔監視する施設のいずれかに設置されていてもよい。
【００６１】
以上、本発明の実施の形態および変形例を例示により説明したが、本発明の範囲はこれらに限定されるものではなく、請求項に記載された範囲内において目的に応じて変更・変形することが可能である。また、各実施の形態および変形例は、処理内容を矛盾させない範囲で適宜組み合わせることが可能である。
【００６２】
また、本実施の形態に係る情報処理装置を自動で操作する装置１０は１つまたは複数のコンピュータによって構成され得るが、１つまたは複数のコンピュータに、情報処理装置を自動で操作する装置１０を実現させるためのプログラム及び当該プログラムを記録した記録媒体も、本件の保護対象である。
【符号の説明】
【００６３】
１００  廃棄物焼却プラント（燃焼設備のある施設）
１      焼却炉
２      排熱ボイラ
３      ごみピット
４      ホッパ
５      クレーン
７      中央制御操作室
８      監視カメラ
１０    情報処理装置を自動で操作する装置
１１    入力端子
１２    出力端子
１３    制御部
１３ａ  画像データ取得部
１３ｂ  画像認識部
１３ｃ  演算部
１３ｄ  信号出力部
１４    記憶部
２０    燃焼制御装置（情報処理装置）
２１    ディスプレイ接続端子
２２    入力機器接続端子
２３    分配器
２４    ディスプレイ
３１    プラットホーム
３２    搬送車両
４０    演算装置
５０    画像データ
５１    タグ
５２    パラメータ
５３    アラート
【図１】
2020194516.tif 000003
【図２】
2020194516.tif 000004
【図３】
2020194516.tif 000005
【図４】
2020194516.tif 000006
【図５】
2020194516.tif 000007
【図６】
2020194516.tif 000008
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
オペレータにパラメータの値を表示するためのディスプレイに接続可能なディスプレイ接続端子と、前記パラメータの値を変更するためのオペレータからの入力を受け付ける入力機器に接続可能な入力機器接続端子と、を有する情報処理装置を自動で操作する装置であって、
前記ディスプレイ接続端子または前記ディスプレイを撮影するカメラの映像出力端子に接続される入力端子と、
前記入力機器接続端子に接続される出力端子と、
前記ディスプレイ接続端子または前記映像出力端子から出力される画像データを前記入力端子を介して取得する画像データ取得部と、
前記画像データから画像認識処理により前記パラメータの値を抽出する画像認識部と、
前記画像認識部により抽出された前記パラメータの値を入力として、予め定められた決定アルゴリズムに基づいて、変更先のパラメータの値を決定する演算部から、前記変更先のパラメータの値を取得し、前記パラメータの値を前記変更先のパラメータの値へと変更するための一連の入力を前記入力機器が受け付けた際に前記入力機器から出力される一連の信号と同じ信号を疑似的に生成し、前記出力端子を介して前記入力機器接続端子へと入力する信号出力部と、
を備えたことを特徴とする装置。
【請求項２】
前記画像認識部により抽出された前記パラメータの値と、前記演算部から取得された前記変更先のパラメータの値とを記憶する記憶部
をさらに備えたことを特徴とする請求項１に記載の装置。
【請求項３】
前記画像認識処理は、ＯＭＲ（Ｏｐｔｉｃａｌ  Ｍａｒｋ  Ｒｅｃｏｇｎｉｔｉｏｎ／Ｒｅａｄｅｒ）、ＯＣＲ（Ｏｐｔｉｃａｌ  Ｃｈａｒａｃｔｅｒ  Ｒｅｃｏｇｎｉｔｉｏｎ／Ｒｅａｄｅｒ）、ボルツマンマシン、ニューラルネットワーク、サポートベクターマシン、ベイジアンネットワーク、決定木、ランダムフォレストを用いた統計的推定、強化学習、深層学習のいずれか１つ以上を含む、
ことを特徴とする請求項１または２に記載の装置。
【請求項４】
前記入力機器は、マウス、キーボード、テンキー、タッチパッド、マイク、ヘッドセット、トラック・ボール、ジョイ・スティック、タッチパネル、デジタイザ、ペンタブレット、タブレットのいずれか１つ以上を含む、
ことを特徴とする請求項１〜３のいずれかに記載の装置。
【請求項５】
前記情報処理装置は、燃焼設備のある施設、不燃粗大ごみ施設、可燃粗大ごみ施設、リサイクル施設、排水ポンプ機場施設、火力発電プラント施設、水処理プラント施設、化学プラント施設、吸収冷温水機と吸収冷凍機とターボ冷凍機とスクリュー冷凍機のいずれか１つ以上のある施設、それらの施設を遠隔監視する施設のいずれかに設置されている、
ことを特徴とする請求項１〜４のいずれかに記載の装置。
【請求項６】
前記燃焼設備のある施設は、前記情報処理装置として、前記燃焼設備の制御を行う制御装置、ごみピットから焼却炉へごみを搬送するごみクレーンの制御を行う制御装置、灰ピットから外部へ焼却灰を搬出する灰クレーンの制御を行う制御装置のいずれか１つ以上を有する、
ことを特徴とする請求項５に記載の装置。
【請求項７】
前記パラメータは、発電量、送電量、機器冷却水温度、バーナの燃料量、圧縮空気圧力と流量、供給水のｐＨ値、各薬剤ｐＨ値、被燃焼物の重量、体積、密度、供給量、焼却設備の内部温度、出口温度、内部圧力、供給空気量、供給水量、供給薬剤量、発生熱量、焼却設備より排出される排ガスの流量、流速、密度、温度、該排ガスに含まれる一酸化炭素濃度、二酸化炭素濃度、窒素酸化物濃度、硫黄酸化物濃度、塩化水素濃度、水分濃度、水銀濃度、ばいじん濃度、酸素濃度、窒素濃度、該排ガスを冷却するボイラ設備の蒸気流量、蒸気圧力、蒸気温度、給水流量、保有水量、該排ガスに供給される薬剤量、燃料貯留設備における、被燃焼物の高さ、水分量、ごみ質、破袋度、ごみ種、燃料供給設備の空間座標、油圧値、操作記録のいずれか１つ以上を含む、
ことを特徴とする請求項５に記載の装置。
【請求項８】
ＩＴＶカメラ、赤外線カメラ、紫外線カメラ、Ｘ線カメラ、放射線カメラ、ＲＧＢ−Ｄカメラ、ステレオカメラ、３Ｄカメラのいずれか１つ以上に接続される第２入力端子を備え、
前記演算部は、前記画像認識部により抽出された前記パラメータの値と、前記第２入力端子を介して取得されるカメラ映像データとを入力として、予め定められた決定アルゴリズムに基づいて、変更先のパラメータの値を決定する
ことを特徴とする請求項１〜７のいずれかに記載の装置。
【請求項９】
前記演算部をさらに備えた
ことを特徴とする請求項１〜８のいずれかに記載の装置。